(57)【要約】【課題】簡易な構成で、単純な部品構成とすることにより、コンパクト・軽量・安価にできる畔際処理装置を提供する。【解決手段】ロータリ耕耘作業機の側面後方に取付けられる畦際処理装置において、畦畔内側の土を削り取るスキサキ部と、前記スキサキ部を取付ける取付軸と、前記取付軸を差し込む取付部本体と、前記取付部本体の位置を作業位置又は非作業位置に固定する位置調整部と、前記取付部本体と前記位置調整部とを結合する板状弾性体と、を備えたことを特徴とする。【選択図】図１
2006042640.tif 000002
【特許請求の範囲】
【請求項１】
ロータリ耕耘作業機の側面後方に取付けられる畦際処理装置において、
畦畔内側の土を削り取るスキサキ部と、
前記スキサキ部を取付ける取付軸と、
前記取付軸を差し込む取付部本体と、
前記取付部本体の位置を作業位置又は非作業位置に固定する位置調整部と、
前記取付部本体と前記位置調整部とを結合する板状弾性体と、
を備えたことを特徴とする畦際処理装置。
【請求項２】
前記板状弾性体は、前記位置調整部における四辺形ビームと結合されていることを特徴とする請求項１記載の畦際処理装置。
【発明の詳細な説明】
【技術分野】
【０００１】
本発明は、畦際処理装置に係り、特に、ロータリー耕耘作業機の側面後方に取付けられる畦際処理装置に関する。
【背景技術】
【０００２】
サイドドライブ式のロータリ耕耘作業機において、チェーンケースに内装されたチェーン伝動機構に連結されて回転するロータリ耕耘爪軸に耕耘爪を取付けて耕耘部を構成し、この耕耘部の上方を覆うメインカバーの両側部にサイドカバーを固設し、耕耘部の後方を覆うとともにメインカバーに対してヒンジを介して上下方向に揺動可能に支持したリヤカバーには、その両側部にリヤサイドカバーを固設し、進行方向前方から見てリヤサイドカバーは、サイドカバーの外側方になるように配置して、耕耘部の左右後側方からの土飛散の防止等を図るようにしたものがある。
【０００３】
従来、上記したトラクター作業機において、畦畔際の土を起こしていくために、図３及び図４に示す畦際処理装置を装着していた。図３は、従来技術に係る畦際処理装置を示す一部平面図で、図４は、従来技術に係る畦際処理装置を示す一部側面図である。
【０００４】
スキサキ部２００がスキサキ１９とスキサキ本体２０とにより構成されている。
スキサキ１９は、コンクリート畦畔内側の土を削り取るためのものである。スキサキ本体２０はコンクリート畦畔内側の土を削り取り内側へ反転させるものである。スキサキ本体２０で反転させた土が戻ってこないようにハネ１により内側へ押しやる。ハネ１は取付軸１７にチョウバン支点ピン２１により取付けられ、ハネ１の角度を調節できるようにされている。
【０００５】
取付軸１７の中間部には、アーム１８を介してガイドローラ５が設けられている。アーム１８の先にはガイドローラ５が取付けられ、スキサキ１９の位置を調整する。ガイドローラ５は、コンクリート畦畔に押し当てられ、スキサキ１９とコンクリート畦畔内側との距離を一定に保つ役割をする。
【０００６】
取付軸１７の上端には、取付軸１７を差込固定する取付部本体１５が設けられる。取付部本体１５の上部には、ロータリ耕耘機の耕耘深さによって変わるサクション角を水平に調節するサクション角調整部１４０及びこのサクション角調整部１４０を操作するためのサクション調整ハンドル１４が設けられている。サキツキボルトナット４は、土を削る深さを取付軸１７の上下で調節し固定するためのものである。
【０００７】
上記スキサキ本体２０や取付軸１７やサクション角調整部１４０等は、ロータリー耕耘機の本体にメーンプレート１６を介して取付けられるが、メーンプレート１６には、上記スキサキ本体２０や取付軸１７等の位置を調整する位置調整部１００が取付けられている。位置調整部１００は、大きく四辺形ビーム９、反転ピン１０、蓋板１１、圧縮バネ１２及びスプリングピン１３を有している。位置調整部１００における反転ピン１０により、取付部本体１５を作業位置又は非作業位置に固定される。
【０００８】
位置調整部１００における四辺形ビーム９とサクション角調整部１４０とは、平行リンク６、バネ７及び支持棒８を介して結合している。
【０００９】
上記構成を有する畦際処理装置は、ロータリ耕耘機では耕せないコンクリート畦畔際の土を取るために、上記ガイドローラ５により、コンクリート畦畔に添うように畦際処理装置を駆動することになる。
【発明の開示】
【発明が解決しようとする課題】
【００１０】
しかし、上記従来技術では、位置調整部１００における四辺形ビーム９とサクション角調整部１４０とは、平行リンク６、バネ７及び支持棒８を介して結合されているため、構成が複雑で高価なものとなるという問題点があった。
【００１１】
そこで、本発明は、上記問題点を解決するためになされたもので、簡易な構成で、単純な部品構成とすることにより、コンパクト・軽量・安価にできる畦際処理装置を提供することを目的とする。
【課題を解決するための手段】
【００１２】
上記目的を達成するために、請求項１に係る発明は、ロータリ耕耘作業機の側面後方に取付けられる畦際処理装置において、畦畔内側の土を削り取るスキサキ部と、前記スキサキ部を取付ける取付軸と、前記取付軸を差し込む取付部本体と、前記取付部本体の位置を作業位置又は非作業位置に固定する位置調整部と、前記取付部本体と前記位置調整部とを結合する板状弾性体と、を備えたことを特徴とする畦際処理装置を提供する。
【００１３】
上記構成によれば、取付部本体と位置調整部とは、板状弾性体により結合されているので、単純な部品構成により軽量化される。
【００１４】
請求項２に係る発明は、前記板状弾性体は、前記位置調整部における四辺形ビームと結合されていることを特徴とする請求項１記載の畦際処理装置を提供する。
【００１５】
上記構成によれば、上記構成によれば、板状弾性体は、位置調整部における四辺形ビームと結合されているので、コンパクトになり単純な部品構成により軽量化される。
【発明の効果】
【００１６】
請求項１に係る発明により、単純な部品構成となり、軽量化された畦際処理装置を提供することができる。
【００１７】
請求項２に係る発明により、コンパクトな部品構成となり、軽量化された畦際処理装置を提供することができる。
【発明を実施するための最良の形態】
【００１８】
本発明に係る畦際処理装置の実施例を図１及び図２を参照しつつ説明する。図１は、本発明の実施例１に係る畦際処理装置を示す一部平面図で、図２は、本発明の実施例１に係る畦際処理装置を示す一部側面図である。従来技術と同一な部品及び対応する箇所には同符号を付している。
【００１９】
スキサキ部２００がスキサキ１９とスキサキ本体２０とにより構成されている。
スキサキ１９は、コンクリート畦畔内側の土を削り取るためのものである。スキサキ本体２０はコンクリート畦畔内側の土を削り取り内側へ反転させるものである。スキサキ本体２０で反転させた土が戻ってこないようにハネ１により内側へ押しやる。ハネ１は取付軸１７にチョウバン支点ピン２１により取付けられ、ハネ１の角度を調節できるようにされている。また、ハネ１は取付プレート３を介してステー２により固定されている。
【００２０】
取付軸１７の中間部には、アーム１８を介してガイドローラ５が設けられている。アーム１８の先にはガイドローラ５が取付けられ、スキサキ１９の位置を調整する。ガイドローラ５は、コンクリート畦畔に押し当てられ、スキサキ１９とコンクリート畦畔内側との距離を一定に保つ役割をする。
【００２１】
取付軸１７の上端には、取付軸１７を差込固定する取付部本体１５が設けられる。取付部本体１５の上部には、ロータリ耕耘機の耕耘深さによって変わるサクション角を水平に調節するサクション角調整部１４０及びこのサクション角調整部１４０を操作するためのサクション調整ハンドル１４が設けられている。サキツキボルトナット４は、土を削る深さを取付軸１７の上下で調節し固定するためのものである。
【００２２】
上記スキサキ本体２０や取付軸１７やサクション角調整部１４０等は、ロータリー耕耘機の本体にメーンプレート１６を介して取付けられるが、メーンプレート１６には、上記スキサキ本体２０や取付軸１７等の位置を調整する位置調整部１００が取付けられている。位置調整部１００は、大きく四辺形ビーム９、反転ピン１０、蓋板１１、圧縮バネ１２及びスプリングピン１３を有している。位置調整部１００における反転ピン１０により、取付部本体１５を作業位置又は非作業位置に固定される。
【００２３】
四辺形ビーム９とサクション角調整部１４０とは板状弾性体３０により結合されている。即ち、サクション角調整部１４０の取付部材３１と四辺形ビーム９の取付部材３２に板状弾性体３０が取付けられ、各々取付具３４，３３により取付固定される。
【００２４】
次に、上記構成を有する本発明の実施例１に係る畦際処理装置の作用を説明する。
【００２５】
まず、位置調整部１００の操作により、取付部本体１５位置が非作業位置から作業位置に調整される。
【００２６】
ロータリー耕耘機では耕せないコンクリート畦畔際の土を取るとき、ガイドローラ５をコンクリート畦畔に押し当て、スキサキ１９とコンクリート畦畔内側との距離を一定に保しつつ、スキサキ１９によりコンクリート畦畔内側の土を削り取っていく。そして、ハネ７によって、スキサキ本体２０で反転させた土が戻ってこないように内側へ押しやっていく。
【００２７】
この際、サクション調整ハンドル１４の操作により、サクション角調整部１４０を介してロータリー耕耘機の耕耘深さによって変わるサクション角が水平に調節される。
【００２８】
本件発明の第一実施例に係る畦際処理装置においては、四辺形ビーム９とサクション角調整部１４０とは板状弾性体３０により結合されているので、従来構成と比較し、軽量化されるので、位置調整部１００の操作が極めて行いやすくなるとともに、畦畔際の土を起こす作業性が格段に上がることになる。
【図面の簡単な説明】
【００２９】
【図１】本発明に係る畦際処理装置を示す一部平面図。
【図２】本発明に係る畦際処理装置を示す一部側面図。
【図３】従来技術に係る畦際処理装置を示す一部平面図。
【図４】従来技術に係る畦際処理装置を示す一部側面図。
【符号の説明】
【００３０】
１  ハネ
２  ステー
３  取付プレート
４  サキツキボルトナット
５  ガイドローラ
６  平行リンク
７  バネ
８  支持棒
９  四辺形ビーム
１０  反転ピン
１００  位置調整部
１１  蓋板
１２  圧縮バネ
１３  スプリングピン
１４  サクション調整ハンドル
１４０  サクション角調整部
１５  取付部本体
１６  メーンプレート
１７  取付軸
１８  アーム
１９  スキサキ
２０  スキサキ本体
２００  スキサキ部
２１  チョウバン支点ピン
３０  板状弾性体
３１  取付部材
３２  取付部材
３３  取付具
３４  取付具
【図１】
2006042640.tif 000003
【図２】
2006042640.tif 000004
【図３】
2006042640.tif 000005
【図４】
2006042640.tif 000006